【手続補正書】
【提出日】平成19年3月20日(2007.3.20)
【手続補正１】
【補正対象書類名】明細書
【補正対象項目名】特許請求の範囲
【補正方法】変更
【補正の内容】
【特許請求の範囲】
【請求項１】  一般式(I) 
【化１】
2001342186.tif 000001
〔式中、Ｒは水素原子、水酸基、ホルミル基、(C1-C12)アルキル基、ハロ (C1-C6)アルキル基、ヒドロキシ (C1-C6)アルキル基、 (C2-C6)アルケニル基、 (C2-C6)アルキニル基、 (C1-C6)アルコキシ基、ハロ (C1-C6)アルコキシ基、(C1-C6) アルコキシ (C1-C3)アルキル基、 (C1-C6)アルコキシ (C1-C3)アルコキシ (C1-C3)アルキル基、 (C1-C6)アルキルチオ基、ハロ (C1-C6)アルキルチオ基、 (C1-C6)アルキルスルフィニル基、 (C1-C6)アルキルスルホニル基、 (C1-C6)アルキルチオ (C1-C3)アルキル基、同一又は異なっても良いジ (C1-C6)アルコキシ (C1-C3)アルキル基、アミノ (C1-C6)アルキル基、同一又は異なっても良く、(C1-C6) アルキル基、ハロ (C1-C6)アルキル基、 (C2-C6)アルケニル基又は (C2-C6)アルキニル基から選択される１〜２個の置換基を有する置換アミノ (C1-C6)アルキル基、シアノ (C1-C6)アルキル基、 (C1-C6)アルキルカルボニル基、 (C1-C6)アルコキシカルボニル基、ヒドロキシカルボニル (C1-C3)アルキル基、 (C1-C6)アルコキシカルボニル (C1-C3)アルキル基、アミノカルボニル基、同一又は異なっても良く、 (C1-C6)アルキル基、 (C2-C6)アルケニル基又は (C2-C6)アルキニル基から選択される１〜２個の置換基を有する置換アミノカルボニル基、 (C3-C6)シクロアルキル (C1-C3)アルキル基、フェニル (C1-C3)アルキル基、同一又は異なっても良く、ハロゲン原子、ニトロ基、シアノ基、
(C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニル (C1-C3)アルキル基、フェニルカルボニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルカルボニル基、フェニルチオ基、同一又は異なっても良く、ハロゲン原子、ニトロ基、シアノ基、 (C1-C6)アルキル基、ハロ (C1-C6)アルキル基、 (C1-C6)
アルコキシ基、ハロ (C1-C6)アルコキシ基、 (C1-C6)アルキルチオ基又はハロ (C1-C6)アルキルチオ基から選択される１〜５個の置換基を環上に有する置換フェニルチオ基、フェニルスルホニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルスルホニル基、フェニル (C1-C6)アルキルスルホニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニル (C1-C6)アルキルスルホニル基、フェニルオキシカルボニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルオキシカルボニル基、フェニルオキシ (C1-C3)アルキル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルオキシ (C1-C3)アルキル基、フェニル (C2-C6)アルケニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基、ハロ (C1-C6)アルキルチオ基又は (C1-C2)アルキレンジオキシ基から選択される１〜５個の置換基を環上に有する置換フェニル (C2-C6)アルケニル基、フェニル (C2-C6)アルキニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、
(C1-C6)アルキルチオ基、ハロ (C1-C6)アルキルチオ基又は (C1-C2)アルキレンジオキシ基から選択される１〜５個の置換基を環上に有する置換フェニル (C2-C6)アルキニル基、フェニル (C2-C4)アルキニル (C1-C3)アルキル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基、ハロ (C1-C6)アルキルチオ基又は (C1-C2)アルキレンジオキシ基から選択される１〜５個の置換基を環上に有する置換フェニル (C2-C4)アルキニル (C1-C3)アルキル基、１，３−ジオキソラン−２−イル (C1-C3)アルキル基又はフタルイミド (C1-C6)アルキル基を示す。
Ｒ1 は同一又は異なっても良く、酸素原子、硫黄原子又は窒素原子から選択される１〜３個のヘテロ原子を有する５〜６員複素環基を示し、該複素環基は同一又は異なっても良く、ハロゲン原子、シアノ基、 (C1-C6)アルキル基、ハロ (C1-C6)アルキル基又は (C1-C6)アルコキシ基から選択される１〜５個の置換基を有することもでき、複素環基中の窒素原子はＮ−オキシド基を示すこともできる。 Ｙは酸素原子又は硫黄原子を示し、
Ｚは
-N=C(R2)-
（式中、Ｒ2 は水素原子、 (C1-C6)アルキル基又はハロ (C1-C6)アルキル基を示す。）又は
-N(R3)-CH(R2)-
（式中、Ｒ2 は前記に同じくし、Ｒ3 は水素原子、 (C1-C6)アルキル基、ホルミル基、 (C1-C3)アルキルカルボニル基又はハロ (C1-C3)アルキルカルボニル基を示す。）を示す。
Ｘは同一又は異なっても良く、ハロ(C1-C10)アルキル基を示し、ｎは０〜４の整数を示す。］
で表される置換アミノキナゾリノン（チオン）誘導体又はその塩類。
【請求項２】 Ｒが水素原子、ホルミル基、(C1-C12)アルキル基、ハロ (C1-C6)アルキル基、 (C2-C6)アルケニル基、 (C2-C6)アルキニル基、 (C1-C6)アルコキシ基、ハロ (C1-C6)アルコキシ基、 (C1-C6)アルコキシ (C1-C3)アルキル基、 (C1-C6)アルコキシ (C1-C3)アルコキシ (C1-C3)アルキル基、 (C1-C6)アルキルチオ基、ハロ (C1-C6)アルキルチオ基、アミノ (C1-C6)アルキル基、同一又は異なっても良く、 (C1-C6)アルキル基、ハロ
(C1-C6)アルキル基、 (C2-C6)アルケニル基又は (C2-C6)アルキニル基から選択される１〜２個の置換基を有する置換アミノ (C1-C6)アルキル基、シアノ (C1-C6)アルキル基、 (C1-C6)アルキルカルボニル基、 (C1-C6)アルコキシカルボニル基、ヒドロキシカルボニル
(C1-C3)アルキル基、 (C1-C6)アルコキシカルボニル (C1-C3)アルキル基、 (C3-C6)シクロアルキル (C1-C3)アルキル基、フェニル (C1-C3)アルキル基、同一又は異なっても良く、ハロゲン原子、ニトロ基、シアノ基、 (C1-C6)アルキル基、ハロ (C1-C6)アルキル基、
(C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニル (C1-C3)アルキル基、フェニルカルボニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルカルボニル基、フェニルチオ基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルチオ基、フェニル (C2-C6)アルケニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基、ハロ
(C1-C6)アルキルチオ基又は (C1-C2)アルキレンジオキシ基から選択される１〜５個の置換基を環上に有する置換フェニル (C2-C6)アルケニル基、フェニル (C2-C6)アルキニル基又は同一若しくは異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基、ハロ (C1-C6)アルキルチオ基又は (C1-C2)アルキレンジオキシ基から選択される１〜５個の置換基を環上に有する置換フェニル (C2-C4)アルキニル (C1-C3)アルキル基を示し、Ｒ1 が同一又は異なっても良く、酸素原子、硫黄原子又は窒素原子から選択される１〜３個のヘテロ原子を有する５〜６員複素環基を示し、該複素環基は同一又は異なっても良く、ハロゲン原子、シアノ基、 (C1-C6)アルキル基、ハロ (C1-C6)アルキル基又は (C1-C6)アルコキシ基から選択される１〜５個の置換基を有することもでき、複素環基中の窒素原子はＮ−オキシド基を示すこともでき、
Ｙが酸素原子又は硫黄原子を示し、Ｚが
-N=C(R2)-
（式中、Ｒ2 は水素原子、 (C1-C6)アルキル基又はハロ (C1-C6)アルキル基を示す。）又は
-N(R3)-CH(R2)-
（式中、Ｒ2 は水素原子又は (C1-C6)アルキル基を示し、Ｒ3 は水素原子、 (C1-C6)アルキル基、ホルミル基、 (C1-C3)アルキルカルボニル基又はハロ (C1-C3)アルキルカルボニル基を示す。）を示し、
Ｘが１，２，２，２−テトラフルオロ−１−（トリフルオロメチル）エチル基を示し、ｎが０〜４の整数を示す請求項１記載の置換アミノキナゾリノン（チオン）誘導体又はその塩類。
【請求項３】  Ｒが水素原子、ホルミル基、(C1-C12)アルキル基、ハロ (C1-C6)アルキル基、 (C2-C6)アルケニル基、 (C2-C6)アルキニル基、 (C1-C6)アルキルチオ基、ハロ
(C1-C6)アルキルチオ基、 (C1-C6)アルキルカルボニル基、 (C1-C6)アルコキシカルボニル基、 (C1-C6)アルコキシカルボニル (C1-C3)アルキル基、フェニルカルボニル基、同一又は異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基又はハロ (C1-C6)アルキルチオ基から選択される１〜５個の置換基を環上に有する置換フェニルカルボニル基、フェニル (C2-C6)アルケニル基、同一又は異なっても良く、ハロゲン原子、ニトロ基、シアノ基、 (C1-C6)アルキル基、ハロ (C1-C6)アルキル基、
(C1-C6)アルコキシ基、ハロ (C1-C6)アルコキシ基、 (C1-C6)アルキルチオ基、ハロ (C1-C6)アルキルチオ基又は (C1-C2)アルキレンジオキシ基から選択される１〜５個の置換基を環上に有する置換フェニル (C1-C6)アルケニル基、フェニル (C2-C6)アルキニル基又は同一若しくは異なっても良く、ハロゲン原子、ニトロ基、シアノ基、 (C1-C6)アルキル基、ハロ (C1-C6)アルキル基、 (C1-C6)アルコキシ基、ハロ (C1-C6)アルコキシ基、 (C1-C6)アルキルチオ基、ハロ (C1-C6)アルキルチオ基又は (C1-C2)アルキレンジオキシ基から選択される１〜５個の置換基を環上に有する置換フェニル (C2-C4)アルキニル (C1-C3)アルキル基を示し、Ｒ1 がピリジル基を示し、Ｙが酸素原子又は硫黄原子を示し、Ｚが
-N=C(R2)-
（式中、Ｒ2 は水素原子、 (C1-C6)アルキル基又はハロ (C1-C6)アルキル基を示す。）又は
-N(R3)-CH(R2)-
（式中、Ｒ2 は水素原子又は (C1-C6)アルキル基を示し、Ｒ3 は水素原子又は (C1-C6)アルキル基を示す。）を示し、
Ｘが６位に置換された１，２，２，２−テトラフルオロ−１−（トリフルオロメチル）エチル基を示し、ｎが１の整数を示す請求項２記載の置換アミノキナゾリノン（チオン）誘導体又はその塩類。
【請求項４】  式（Ｉ‐６）
【化２】
2001342186.tif 000002
で表されるＮ−アセチル−３，４−ジヒドロ−３−（３−ピリジルメチルアミノ）−６−［１，２，２，２−テトラフルオロ−１−（トリフルオロメチル）エチル］キナゾリン−２−オン。
【請求項５】 一般式(II)
【化３】
2001342186.tif 000003
〔式中、Ｘは６位に置換された１，２，２，２‐テトラフルオロ‐１−（トリフルオロメチル）エチル基を示し、ｎは１の整数を示し、Ｙは酸素原子を示す。〕で表される化合物。
【請求項６】 請求項１乃至４のいずれか一項記載の置換アミノキナゾリノン（チオン）誘導体又はその塩類を有効成分として含有することを特徴とする有害生物防除剤。
【請求項７】 有害生物を防除するために請求項１乃至４のいずれか一項記載の置換アミノキナゾリノン（チオン）誘導体又はその塩類を有効成分とする有害生物防除剤の有効量を対象作物又は土壌に処理することを特徴とする有害生物の防除方法。